(57)【要約】【課題】本発明は、電気部品収容部を本体に固定する際にねじの締め付けにより発生する切り粉の制御基板や電気部品への侵入を防ぎ、電気部品の信頼性の向上を得られる空気調和装置を提供する。【解決手段】吸込み口１２および吹出し口１３を備えた本体１と、吸込み口１２に対向して収容される送風機８と電気部品収容部９とを備える空気調和装置において、電気部品収容部９は、本体１に固定ねじ２８で固定され、組立て時に固定ねじ２８の下方に位置し、組立て時に固定ねじ２８の締付けにより発生する切り粉を受ける切り粉受け部２７Ｂを備えている。【選択図】    図３
2006343083.tif 000002
【特許請求の範囲】
【請求項１】
吸込み口および吹出し口を備えた本体と、前記吸込み口に対向して前記本体内に収容される送風機と電気部品収容部とを備える空気調和装置において、前記電気部品収容部は、前記本体にねじで固定され、組立て時に前記ねじの下方に位置し、前記ねじの締付けにより発生する切り粉を受ける切り粉受け部を備えていることを特徴とする空気調和装置。
【請求項２】
前記切り粉受け部は、前記電気部品収容部に取付けられる端子台固定板に設けられることを特徴とする請求項１に記載の空気調和装置。
【発明の詳細な説明】
【技術分野】
【０００１】
本発明は、天井裏に取付けられるビルトインタイプであり、たとえばダクトを介して天井板に設けられる吹出し口と連通する室内機である空気調和装置に関する。
【背景技術】
【０００２】
店舗などの広い空間を空調する場合には、空気調和装置の室内機として壁面に取付けられる、いわゆる壁掛け形よりも、天井裏に据付けられるビルトインタイプのものの方が有利である。すなわち、この種の室内機は、天井板に設けられる複数の吹出し口とダクトを介して連通され、室内全体に均一に熱交換空気を吹出すことができて快適空調が得られ、しかも壁掛け形のように居住者が受ける圧迫感がない。
上記ビルトインタイプの空気調和装置室内機は、天井裏のスペースが狭い所にも据付け可能とするためにできるだけ室内機本体の高さ寸法を小さくし、据付けに必要なスペースを小さくすることが望まれる。
そこで、［特許文献１］には、電気部品箱を本体内に収容し、本体の小形化を図った空気調和装置が開示されている。
【特許文献１】実開平２−７７５０９号公報
【発明の開示】
【発明が解決しようとする課題】
【０００３】
上述の［特許文献１］のような空気調和装置では、電気部品箱を本体に取り付け固定する際にねじを利用するが、このねじの締付固定により発生する切り粉が電気部品箱内に侵入し、内部の制御基板や電気部品に悪影響を与える虞れがある。
【０００４】
本発明は、上記事情に着目してなされたものであり、その目的とするところは、電気部品収容部を本体に固定する際にねじの締め付けにより発生する切り粉の制御基板や電気部品への侵入を防ぎ、電気部品の信頼性の向上を得られる空気調和装置を提供しようとするものである。
【課題を解決するための手段】
【０００５】
上記課題を解決し目的を達成するために本発明の空気調和装置は、吸込み口および吹出し口を備えた本体と、前記吸込み口に対向して収容される送風機と電気部品収容部とを備える空気調和装置において、前記電気部品収容部は、前記本体にねじで固定され、組立て時に前記ねじの下方に位置し、組立て時に前記ねじの締付けにより発生する切り粉を受ける切り粉受け部を備えた。
【発明の効果】
【０００６】
本発明によれば、電気部品収容部を本体に固定する際にねじの締付により発生する切り粉の制御基板や電気部品への侵入を防ぎ、電気部品の信頼性の向上を得られるという効果を奏する。
【発明を実施するための最良の形態】
【０００７】
以下、本発明の実施の形態を図面にもとづいて説明する。
図１は本発明の一実施の形態に係るビルトインタイプの空気調和装置室内機の据付け状態を説明する図であり、図２は空気調和装置室内機の概略の縦断面図であり、図３は電気部品収容部を示す断面斜視図であり、図４は室内機の一部を分解して示す斜視図である。
【０００８】
筐体である本体１は、図２の縦断面における長手方向Ｘの寸法が、長手方向Ｘとは直交する方向である、幅方向Ｙと比較して短い薄型矩形箱状に成形されていて、その下面部を下面板１ａおよび１ｂ、上面部を天板１ｃ、両側面部を側面板１ｄ，１ｄ、背面部を背面板１ｅで構成される。各面部は全てが、金属薄板を板金加工してなる。
本体１の両側面には一対ずつの取付け具２が設けられていて、これら取付け具２のそれぞれには天井裏Ｔに設けられる梁材３から垂設される吊持杆４が挿入され、かつ取付け固定される。すなわち本体１は、梁材３と天井板５との間である、天井裏Ｔに設けられることになる。
【０００９】
本体１内の長手方向Ｘにおける略半分の長さ位置には、仕切り板６が本体１の幅方向Ｙに両側面板１ｄ，１ｄ間に亘って設けられる。本体１内部は仕切り板６によってに区分されていて、一方室を機械室７Ａと呼び、送風機８および電気部品収容部９が配置される。他方室を熱交換室７Ｂと呼び、熱交換器１０およびドレンパン１１が配置される。
【００１０】
機械室７Ａの下面に吸込み口１２が開口され、熱交換室７Ｂの正面側（図２の左側）には吹出し口１３が開口される。また、吸込み口１２には、開口部を覆う集塵フィルタ２２が取付けられる。本体１が天井裏Ｔに取付け固定された状態で、吸込み口１２には吸込みダクト１４が接続され、吹出し口１３には複数の吹出しダクト１５が接続される。
【００１１】
吸込みダクト１４は、天井板５に開口する取付け用口１６に取付けられた化粧グリル１７に接続される。梁材３と天井板５との間の寸法によっては、本体１に設けられる吸込み口１２が直接、天井板５の取付け用口１６に対向する場合がある。このときは、当然、吸込みダクト１４を省略して化粧グリル１７を取付け用口１６に取付ける。
【００１２】
吹出しダクト１５は、普通、天井板５に設けられる図示しない複数の室内吹出し口に連通される。すなわち、本体１から導出される熱交換空気は吹出しダクト１５で分流され、複数の室内吹出し口から一斉に室内へ吹出されて、室内の部位に係わらず均一な空調が行えるようになっている。
【００１３】
機械室７Ａに配置される送風機８は、軸方向中央部にファンモータ１８を備えていて、このファンモータ１８は両側部から回転軸が突出する二軸モータである。それぞれの回転軸には、回転にともなって軸方向から空気を吸込んで周方向へ吹出すタイプのファン（いわゆる多翼型ファン）１９が連結され、さらに各ファン１９はファンケーシング２０で囲撓される。
【００１４】
ファンケーシング２０の両側面には、空気を吸込むための吸込み口２０ａが開口され、仕切り板６側端部には吹出し口体部２０ｂが形成され、仕切り板６に開口される連通口２１に吹出し口体部２０ｂが接続される。したがって、連通口２１は、送風機８に通電しファン１７を駆動するのにともなって、ファンケーシング１８の吹出し口体部１８ａから吹出される風を直接、熱交換室７Ｂ側へ送風案内できる。
【００１５】
機械室７Ａに配置される電気部品収容部９は、その内部に後述する制御基板２３および端子台２４等の電気部品を収納している。
【００１６】
熱交換室７Ｂに配置される熱交換器１０は、その両側端部に図示しない端板が配置され、この端板間に複数枚のアルミフィン１０ａが所定の間隙を存して並設され、両端板およびアルミフィン１０ａに複数本の伝熱管１０ｂが貫通されてなるフィンチューブ型の熱交換器である。熱交換器１０は、上記ドレンパン１１上に、上下方向が斜めに傾斜した姿勢で載置される。
これは、本体１が天井裏Ｔに据付けられる関係上、本体１の上下方向寸法を可能な限り短縮して薄型化を図る必要から、熱交換器１０の上下方向寸法を充分な長さに設定することができない。その一方で、熱交換器１０の熱交換面積を可能な限り確保して、熱交換効率の向上を図らなければならない。したがって、熱交換器１０を斜めに傾斜した姿勢とすることにより、上下方向寸法を抑えて薄型の本体１内に収容可能となすとともに、充分な熱交換面積を確保することができる。
【００１７】
ドレンパン１１は、たとえば発泡スチロールなどの発泡性合成樹脂材を発泡して得られる成型品であって、その上面側がアクリロニトリル・ブタジエン・スチレン樹脂（ＡＢＳ樹脂）等の合成樹脂材でコーティングされている。ドレンパン１１の長手方向Ｘと幅方向Ｙの寸法が、熱交換室７Ｂの長手方向Ｘと幅方向Ｙの寸法と略同一に形成されていて、ドレンパン１１を熱交換室７Ｂに取付けた状態で、ドレンパン１１は熱交換室７Ｂの全面に亘って、ほとんど隙間のない状態で嵌め込まれる。
【００１８】
なお、本体１の下面は、機械室７Ａに設けられる吸込み口１１以外の部分が第１の下面板１ａによって覆われ、熱交換室７Ｂ全体の下面は第２の下面板１ｂによって覆われる。これら第１、第２の下面板１ａ，１ｂは取付けねじを介して本体１に着脱自在に取付けられる。
【００１９】
つぎに、機械室７Ａに配置される電気部品収容部９について図３および図４を用いて説明する。なお、図３は、据付け状態とは天地を逆にして示している。
電気部品収容部９は、送風機８の軸方向一端側にファンケーシング２０に設けられた吸込み口２０ａと対向するように配置される。
【００２０】
電気部品収容部９は、板金製の箱体９Ａと、この箱体９Ａに着脱自在に取付けられる蓋体９Ｂとで構成される。ここで、電気部品収容部９の上面部を９ａ、底面部を９ｂ、ファンケーシング２０側の側面部を９ｃ、本体１の側板１ｄ側の側面部を９ｄとする。また、側面部９ｃは、底面部９ｂから上面部９ａに向かってその側面部９ｄとの距離が小さくなるように傾斜する傾斜面部９ｅが設けられている。そして、箱体９Ａは、この傾斜面部９ｅから上面部９ａにかけて開口部を有し、この開口部を塞ぐように蓋体９Ｂが取付けられる。
【００２１】
箱体９Ａ内には、Ｘ方向に亘って端子台固定板２６が設けられる。端子台固定板２６は、箱体９Ａの略半分の高さ位置において底面部９ｂと略平行に設けられる下部水平部２６ａと、この下部水平部２６ａと鋭角をなして設けられる傾斜部２６ｂと、上面部９ａに面して設けられ、上面部９ａの一部を形成する上部水平部２６ｃとで構成される板材であり、この端子台固定板２６よって箱体９Ａ内部は２室に区画され、一方室を電気部品設置部２７Ａと呼び、上述の制御基板２３および端子台２４が配置される。他方室を切り粉受け部２７Ｂと呼び、後述する組立て作業時の固定ねじ２８の締付固定により発生する切り粉が固定ねじ２８の下方に位置する制御基板２３に降りかからないようになっている。
【００２２】
電気部品設置部２７Ａにおいて、制御基板２３は、底面部９ｂ上に取付けられ、端子台２４は制御基板２３の端子台固定板２６の傾斜部２６ｂに取付けられる。
端子台２４を介して室外機（図示しない）や操作部（図示しない）からの配線と、本体１内の配線とが接続される。
【００２３】
本体１の側面板１ｄの上部（吸込み口１２側端部）には、箱体９Ａを固定するための固定片２５が設けられ、固定片２５には、固定ねじ２８用の孔２５ａが設けられている。一方、箱体９Ａには、端子台固定板２６の上部水平部２６ｃに、固定片２５の孔２５ａに対応する孔２５ｂが設けられている。これら孔２５ａ、２５ｂに固定ねじ２８を挿入し締付固定することによって本体１と箱体９Ａとは固定される。
【００２４】
蓋体９Ｂは、端子台固定板２６の上部水平部２６ｃに設けられた孔２９ａに対応する位置に孔２９ｂが設けられ、側面部９ｃに設けられた係止片３０に対応する位置にスリット３１が設けられる。
スリット３１に係止片３０を挿入し、孔２９ａ、２９ｂに取付けねじ２９を挿入し締付固定することによって蓋体９Ｂは箱体９Ａに取付けられる。
【００２５】
このようにして構成される電気部品収容部９を本体組立て時に機械室７Ａに取付けるのに、本体１を実際の取付け状態とは天地を逆にして作業が行われる。すなわち、天板１ｃが下面側になり、下面板１ａおよび吸込み口１２が上面側となる。
まず、箱体９Ａをファンケーシング２０と本体１の側面板１ｄとの間のスペースに配置し、つぎに、上面部９ａと固定片２５とを当接させる。この状態で固定片２５の孔２５ａが上面部９ａに設けられる孔２５ｂに対向するので、これら孔２５ａ、２５ｂに固定ねじ２８を挿入して締付固定する。
この固定ねじ２８を締付固定するときに、固定ねじ２８が螺進することによって固定片２５および箱体９Ａから切り粉が発生する。しかし、孔２５ｂの下方位置には、上述した切り粉受け部２７Ｂが設けられているので、切り粉が制御基板２３に降りかかることがなく、切り粉の付着による誤動作やショート等を防ぐことができる。
【００２６】
電気部品収容部９の保守・点検等のメンテナンス作業を行う際は、本体１の下面板１ａを取り外し、さらに箱体９Ａから蓋体９Ｂを取り外して電気部品設置部２７Ａ内部を露出させる。
このとき、端子台２４が端子台固定板２６の傾斜部２６ｂに取付けられているので、端子台２４の様子を下方からでも確認することができ、各種配線の端子の着脱が容易となる。
【００２７】
さらに、箱体９Ａを本体１に固定する固定片２５が、本体側面板１ｄの吸込み口１２側端部に設けられているので、下方からでも容易に固定ねじ２８を外すことができるので、箱体９Ａの着脱が容易となる。
【００２８】
なお、メンテナンス作業終了時、箱体９Ａを本体１内に取付けるときは、制御基板２３が上面側に位置し、固定ねじ２８が下面側に位置した状態になるので、固定ねじ２８を締付固定しても切り粉が制御基板２３に付着することはない。
また、電気部品収容部９の傾斜面部９ｃが、ファンケーシング吸込み口２０ａへ空気を案内するため、電気部品収容部９を機械室７Ｂ内に配置したとしても送風効率を低下させることがなく、電気部品収容部９を本体１内に収納したことによって空気調和装置室内機の据付に必要なスペースを小さくできる。
【００２９】
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３０】
【図１】本発明の一実施の形態に係る、空気調和装置室内機の取付け状態を説明する図。
【図２】同実施の形態に係る、空気調和装置室内機の概略の断面図。
【図３】同実施の形態に係る、電気部品収容部を示す断面斜視図。
【図４】同実施の形態に係る、室内機の一部を分解した図面。
【符号の説明】
【００３１】
１２…吸込み口、１３…吹出し口、１…本体、８…送風機、９…電気部品収容部、９Ａ…箱体、９Ｂ…蓋体、２７Ａ…電気部品設置部、２７Ｂ…切り粉受け部、２３…制御基板、２４…端子台、２６…端子台固定板
【図１】
2006343083.tif 000003
【図２】
2006343083.tif 000004
【図３】
2006343083.tif 000005
【図４】
2006343083.tif 000006